(57)【要約】【課題】画面を次の操作を阻害しない形で表示することによって、次の操作を容易に行うことが出来る表示装置及び画像形成装置を提供することを目的とする。【解決手段】画像形成装置が、表示部と、操作部と、前記操作部が所定画面の画面表示指示を受け付けると、当該所定画面の表示サイズ及び表示候補位置に基づいて前記所定画面が既に表示されている画面における画面部品の表示を阻害する度合いを示す阻害量を算出し、当該阻害量が所定のしきい値以下の場合に、その表示候補位置及び表示サイズに基づいて前記表示部に前記所定画面を表示させる表示制御手段とを備える。【選択図】図１
2009237708.tif 000002
【特許請求の範囲】
【請求項１】
表示部と、
操作部と、
前記操作部が所定画面の画面表示指示を受け付けると、当該所定画面の表示サイズ及び表示候補位置に基づいて前記所定画面が既に表示されている画面における画面部品の表示を阻害する度合いを示す阻害量を算出し、当該阻害量が所定のしきい値以下の場合に、その表示候補位置及び表示サイズに基づいて前記表示部に前記所定画面を表示させる表示制御手段とを備えることを特徴とする表示装置。
【請求項２】
画面部品に関する履歴情報を記憶する記憶部と、
前記履歴情報に基づいて前記画面部品の重要度を算出する重要度算出手段とを備え、
前記表示制御手段は、前記所定画面の表示候補位置、表示サイズ及び前記画面部品の重要度に基づいて前記阻害量を算出することを特徴とする請求項１記載の表示装置。
【請求項３】
前記表示サイズは変動可能であることを特徴とする請求項１または２記載の表示装置。
【請求項４】
請求項１〜３のいずれか一項に記載の表示装置を具備することを特徴とする画像形成装置。
【発明の詳細な説明】
【技術分野】
【０００１】
本発明は、表示装置及び画像形成装置に関する。
【背景技術】
【０００２】
複合機、複写機等の画像形成装置には、ユーザの操作を補助する為に、タッチパネルなどのディスプレイ上に、操作の方法を説明する為のヘルプ画面を表示する機能が搭載されたものがある。
例えば、下記特許文献１には、ポインティングデバイス及びキーボードのどちらを使用してもツールチップ形式のヘルプ画面を表示することが出来る説明文表示方法が開示されており、下記特許文献２には、機器内のトラブル処理等の操作ガイダンス画面の表示時にそのガイダンス画面の内容をオペレータの操作指示に応じて異ならせ、処理操作を簡単に行えるようにする表示入力装置が開示されている。また、下記特許文献３には、画像形成装置において、操作画面のボタンが押下されるとそのボタンに該当する機能についての説明を表示する画像形成装置及び操作表示の表示方法が開示されている。
【特許文献１】特開２００６−３３８１２６号公報
【特許文献２】特開平１１−１９１８２２号公報
【特許文献３】特開２００６−１５５９４号公報
【発明の開示】
【発明が解決しようとする課題】
【０００３】
ところで、上記従来技術では、ヘルプ画面がディスプレイの固定的な位置に表示される為に、次に操作を望むボタン等の画面部品の上にヘルプ画面が表示されることがあり、そのような場合に、ユーザはボタンを操作する為に、ヘルプ画面を一度閉じなければならなった。したがって、上記従来技術では、ヘルプ画面を表示した場合に、ヘルプ画面の内容を確認した後にすぐ次の操作を行うことが出来ない場合があり、使い勝手が悪いという問題があった。
【０００４】
本発明は、上述した事情を鑑みたものであり、画面を次の操作を阻害しない形で表示することによって、次の操作を容易に行うことが出来る表示装置及び画像形成装置を提供することを目的とする。
【課題を解決するための手段】
【０００５】
上記目的を達成するために、本発明では、表示装置に係る第１の解決手段として、表示部と、操作部と、前記操作部が所定画面の画面表示指示を受け付けると、当該所定画面の表示サイズ及び表示候補位置に基づいて前記所定画面が既に表示されている画面における画面部品の表示を阻害する度合いを示す阻害量を算出し、当該阻害量が所定のしきい値以下の場合に、その表示候補位置及び表示サイズに基づいて前記表示部に前記所定画面を表示させる表示制御手段とを備えるという手段を採用する。
【０００６】
本発明では、表示装置に係る第２の解決手段として、上記第１の解決手段において、画面部品に関する履歴情報を記憶する記憶部と、前記履歴情報に基づいて前記画面部品の重要度を算出する重要度算出手段とを備え、前記表示制御手段は、前記所定画面の表示候補位置、表示サイズ及び前記画面部品の重要度に基づいて前記阻害量を算出するという手段を採用する。
【０００７】
本発明では、表示装置に係る第３の解決手段として、上記第１または第２の解決手段において、前記表示サイズは変動可能であるという手段を採用する。
【０００８】
また、本発明では、画像形成装置に係る第１の解決手段として、上記第１〜３のいずれかの解決手段を採用する表示装置を具備するという手段を採用する。
【発明の効果】
【０００９】
本発明によれば、表示装置において、操作部が所定画面の画面表示指示を受け付けると、当該所定画面の表示サイズ及び表示候補位置に基づいて前記所定画面が既に表示されている画面における画面部品の表示を阻害する度合いを示す阻害量を算出し、当該阻害量が所定のしきい値以下の場合に、その表示候補位置及び表示サイズに基づいて表示部に所定画面を表示させることによって、所定画面が既に表示されている画面の画面部品の表示を阻害することを避けることが出来る為、ユーザは所定画面を表示した後でも次の操作を容易に行うことが出来る。
【発明を実施するための最良の形態】
【００１０】
以下、図面を参照して、本発明の一実施形態について説明する。本発明の画像形成装置の一つである複写機能及び印刷機能を併せ持つ複合機に関する。
図１は、本実施形態に係る複合機Ａの機能ブロック図である。複合機Ａは、画像読取部１、用紙搬送部２、画像形成部３、操作表示部４、記憶部５及び制御部６を備えている。なお、操作表示部４は、本実施形態における表示手段と操作手段との両方の機能を有するものである。
【００１１】
画像読取部１は、図示しない原稿台にセットされた原稿に対して走査状に照明光を照射し、その反射光をＣＣＤ(Charge Coupled Device)センサによって受光してアナログ電圧信号に変換した後、当該アナログ電圧信号をデジタル変換することにより、原稿の画像データを生成するものである。なお、画像読取部１は、画像データを制御部６に出力し、一方、制御部６は、原稿の画像データを画像形成部３に出力する。
【００１２】
用紙搬送部２は、図示しない用紙トレイに収納されている用紙を画像形成部３に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
画像形成部３は、制御部６の制御の下、画像読取部１が制御部６に出力した画像データに基づいて、用紙搬送部２から搬送される用紙にトナーを転写し、当該トナーの定着処理を行う。
操作表示部４は、タッチパネル４ａ、スタートキー、ストップキー、電源キー、テンキー（数値入力キー）、やその他の各種操作キー、を備えており、それぞれのキーの操作指示を制御部６に出力すると共に、制御部６の制御の下、タッチパネル４ａに種々の画面を表示する。
【００１３】
記憶部５は、ＲＯＭ（Read Only Memory）及びＲＡＭ（Random Access Memory）から構成されている。ＲＯＭは、制御部６が実行する所定の制御プログラムやその他各種データを記憶し、ＲＡＭは、制御部６が制御プログラムを実行するときのワークエリアである。なお、ＲＯＭには、ユーザによって設定されたヘルプ画面表示設定の設定値が記憶されている。このヘルプ画面表示設定の設定値がＯＮの場合に、タッチパネル４ａはヘルプ画面の表示を行い、ＯＦＦの場合には、タッチパネル４ａはヘルプ画面の表示を行わない。
【００１４】
また、ＲＯＭは、画面部品の各種情報が登録された画面部品情報テーブルや各画面の幅情報及び高さ情報も記憶する。図２を参照して上記画面部品情報テーブルについて説明する。図２は、画面部品情報テーブルを示す模式図である。画面部品情報テーブルは、各画面部品に割り振られた画面部品ＩＤごとに、画面部品種類、画面部品が属する画面のＩＤを示すを示す所属画面ＩＤ、表示領域、画面部品のユーザによるアクセス頻度、画面部品のユーザによるアクセスの順序、画面部品のユーザによるアクセス時刻が登録されている。なお画面部品とは、各画面を構成するボタン及びテキストフィールド等の構成要素のことである。
【００１５】
制御部６は、記憶部５に記憶されている制御プログラムや、操作表示部４が受け付ける操作指示等に基づいて複合機Ａの全体動作を制御する。また、この制御部６は、その機能要素として表示制御処理部６ａ、表示開始位置範囲算出処理部６ｂ、表示候補領域算出処理部６ｃ、重要度算出処理部６ｄ、及び阻害量算出処理部６ｅを有している。
【００１６】
表示制御処理部６ａは、タッチパネル４ａが受け付ける所定画面の画面表示指示に基づいて阻害量算出処理部６ｅが算出した阻害量が所定のしきい値以下の場合に、所定画面の表示候補位置及び表示サイズに基づいてタッチパネル４ａに所定画面を表示させる処理（表示制御処理）を実行するものである。なお、阻害量とは、画面表示指示のあった所定画面が、既に表示されている他の画面の表示を阻害する度合いを数値化したものである。
【００１７】
表示開始位置範囲算出処理部６ｂは、画面表示指示のあった所定画面の表示サイズ及びこの所定画面を表示することが可能なタッチパネル４ａ上の領域から、所定画面の表示開始位置の範囲を算出する処理（表示開始位置範囲算出処理）を実行するものである。
表示候補領域算出処理部６ｃは、表示開始位置範囲算出処理部６ｂによって算出された所定画面の表示開始位置の範囲に基づいて表示候補位置を算出すると共に表示候補位置及び表示サイズに基づいて表示候補領域を表示候補領域テーブルに登録する処理（表示候補領域算出処理）を実行するものである。
【００１８】
重要度算出処理部６ｄは、記憶部５に記憶されている各画面の画面部品のアクセス頻度等に基づき、タッチパネル４ａ上の画面部品の重要度を算出し、算出した重要度を重要度テーブルに登録する処理（重要度算出処理）を実行するものである。
阻害量算出処理部６ｅは、表示候補領域算出処理部６ｃによって算出された表示候補領域及び重要度算出処理部６ｄによって算出された重要度に基づいて、阻害量を算出する処理（阻害量算出処理）を実行するものである。
この、表示制御処理部６ａ、表示開始位置範囲算出処理部６ｂ、表示候補領域算出処理部６ｃ、重要度算出処理部６ｄ及び阻害量算出処理部６ｅの動作の詳細については後述する。
【００１９】
次に、上記構成の複合機Ａの動作について図３、図４、図５、図６及び図７に示すフローチャートを参照して詳しく説明する。
本複合機Ａは、ユーザがタッチパネル４ａに表示されるヘルプキーを操作することにより、印刷操作における所定機能を説明する為のヘルプ画面をタッチパネル４ａに表示する。
【００２０】
まず、ユーザは複合機Ａの所定機能に関するヘルプ画面Ｐを表示する為に、タッチパネル４ａに表示されたヘルプキーを押下する。
表示制御処理部６ａは、ヘルプキー押下によってタッチパネル４ａがヘルプ画面Ｐの画面表示指示を受け付けたか否か判定し（ステップＳ１）、ステップＳ１において『ＮＯ』と判定した場合には、すなわちヘルプ画面Ｐの画面表示指示を受け付けていない場合には、ヘルプ画面Ｐの画面表示指示を受け付けるまで待機し、ステップＳ１において『ＹＥＳ』と判定した場合には、すなわちヘルプ画面Ｐの画面表示指示を受け付けた場合には、ヘルプ画面表示設定がＯＮか否か判定する（ステップＳ２）。
【００２１】
表示制御処理部６ａは、ステップＳ２において『ＮＯ』と判定した場合には、すなわちヘルプ画面表示設定がＯＦＦである場合は、ヘルプ画面Ｐを表示せず、ステップＳ２において『ＹＥＳ』と判定した場合には、すなわちヘルプ画面表示設定がＯＮである場合には、表示開始位置範囲算出処理部６ｂが表示開始位置範囲算出処理を実行する（ステップＳ３）。
【００２２】
以下から、図４を参照して、上記ステップＳ３において実行される表示開始位置範囲算出処理の詳細を説明する。図４は、表示開始位置範囲算出処理を示すフローチャートである。
表示開始位置範囲算出処理部６ｂは、ヘルプ画面Ｐの幅情報（ヘルプ画面幅Ｗ１）及び高さ情報（ヘルプ画面高さＨ１）を記憶部５から取得し（ステップＳ１１）、タッチパネル４ａの表示面上の幅情報（タッチパネル幅Ｗ２）及び高さ情報（タッチパネル高さＨ２）を取得する（ステップＳ１２）。表示開始位置範囲算出処理部６ｂは、上記ヘルプ画面幅Ｗ１、ヘルプ画面高さＨ１、タッチパネル幅Ｗ２及びタッチパネル高さＨ２に基づいて、タッチパネル４ａの表示面においてヘルプ画面Ｐの表示を許容される表示開始位置の範囲を示す表示開始位置範囲Ｒ１を算出する（ステップＳ１３）。
【００２３】
上記表示開始位置範囲Ｒ１について、図８を参照して説明する。図８は、タッチパネル４ａにおけるヘルプ画面Ｐの表示開始位置範囲Ｒ１を示す模式図である。
図８の実線矢印はタッチパネル４ａのＸ軸方向を示し、点線矢印はＹ軸方向を示し、点Ｃ１はタッチパネル４ａ上の座標（０，０）を示す。表示開始位置範囲Ｒ1のＸ軸方向の範囲は、Ｘ軸方向座標『０』からタッチパネル幅Ｗ２とヘルプ画面幅Ｗ１の差、すなわちX軸方向座標『０』〜『Ｗ２−Ｗ１』になる。また、表示開始位置範囲Ｒ１のＹ軸方向の範囲は、Ｙ軸方向座標『０』からタッチパネル高さＨ２とヘルプ画面高さＨ１の差、すなわちＹ軸方向座標『０』〜『Ｈ２−Ｈ１』が範囲となる。
【００２４】
表示開始位置範囲算出処理部６ｂが、ステップＳ３における表示開始位置範囲算出処理を完了すると、表示候補領域算出処理部６ｃが、表示候補領域算出処理を実行する（ステップＳ４）。以下から、図５のフローチャートを参照して、上記ステップＳ４の表示候補領域算出処理の詳細を説明する。
【００２５】
まず、表示候補領域算出処理部６ｃは、表示開始位置範囲Ｒ１のＹ軸方向の下限である『０』を表示候補位置Ｙ座標Ｙ１に初期値として設定し（ステップＳ２１）、表示候補位置Ｙ座標Ｙ1の値が表示開始位置範囲Ｒ１のＹ軸方向の上限『Ｈ２−Ｈ１』を超えたか否か判定し（ステップＳ２２）、ステップＳ２２において『ＮＯ』と判定した場合には、すなわち表示候補位置Ｙ座標Ｙ１が『Ｈ２−Ｈ１』を超えていないと判定した場合には、表示候補位置Ｘ座標Ｘ１に表示開始位置範囲Ｒ１のＸ軸方向の下限『０』を初期値として設定し（ステップＳ２３）、表示候補位置Ｘ座標Ｘ１が表示開始位置範囲Ｒ１のＸ軸方向の上限『Ｗ２−Ｗ１』を超えたか否か判定する（ステップＳ２４）。
【００２６】
表示候補領域算出処理部６ｃは、ステップＳ２４において『ＮＯ』と判定した場合には、すなわち表示候補位置Ｘ座標Ｘ１が『Ｗ２−Ｗ１』を超えていないと判定した場合は、ヘルプ画面Ｐの表示候補位置Ｘ座標Ｘ１、表示候補位置Ｙ座標Ｙ１、ヘルプ画面幅Ｗ１及びヘルプ画面高さＨ１を表示候補領域として表示候補領域テーブルに登録し（ステップＳ２５）、新たな表示候補位置を算出する為に表示候補Ｘ座標Ｘ１に１０を加算し（ステップＳ２６）、ステップ２４に移行する。
【００２７】
表示候補領域算出処理部６ｃは、ステップ２４において『ＹＥＳ』と判定した場合には、すなわち表示候補位置Ｘ座標Ｘ１が『Ｗ２−Ｗ１』を超えていると判定した場合には、表示候補位置Ｙ座標Ｙ１に１０を加算し（ステップＳ２７）、ステップＳ２２を実行する。
表示候補領域算出処理部６ｃは、ステップＳ２２おいて『ＹＥＳ』と判定した場合には、すなわち表示候補Ｙ座標Ｙ1が『Ｈ２−Ｈ１』を超えたと判定した場合には、表示候補領域算出処理を終了する。
【００２８】
図９の表示候補領域テーブルを示す模式図を参照して、表示候補領域テーブルの詳細について説明する。
表示候補領域テーブルには、表示候補領域ＩＤごとに表示候補領域を示す表示候補Ｘ軸座標Ｘ1、表示候補Ｘ軸座標Ｙ1、ヘルプ画面幅Ｗ１及びヘルプ画面高さＨ１が登録されている。表示候補領域ＩＤは、ステップＳ２５において表示候補領域が表示候補領域テーブルに登録される際に、１から順番に割り当てられる識別番号である。
【００２９】
表示候補領域算出処理部６ｃが、ステップＳ４における表示候補領域算出処理を完了すると、重要度算出処理部６ｄが、重要度算出処理を実行する（ステップＳ５）。以下から、図６のフローチャートを参照して、上記ステップＳ５の重要度算出処理の詳細を説明する。
【００３０】
まず、重要度算出処理部６ｄは、記憶部５に記憶されている画面部品情報テーブルに基づいて、ヘルプ画面Ｐによって表示が阻害される既に表示済の画面Ｖの全ての画面部品のアクセス順序の重要度（アクセス順序重要度）を算出したか否か判定し（ステップＳ３１）、ステップＳ３１において『ＮＯ』と判定した場合には、すなわち 全ての画面部品のアクセス順序重要度の算出が完了していない場合には、画面部品情報テーブルのアクセス順序に基づいて画面部品のアクセス順序重要度を算出し（ステップＳ３２）、アクセス順序重要度をアクセス順序重要度テーブルに登録し（ステップＳ３３）、ステップＳ３１に移行する。画面部品情報テーブルのアクセス順序は、アクセス時刻に基づいて、最も最近にアクセスされた画面部品に１から順番に数値が割り振られ、アクセスされていない画面部品には０ｘＦＦＦＦが割り振られる。
【００３１】
上記ステップＳ３２におけるアクセス順序重要度の算出方法について図２を参照して詳細を説明する。各画面部品のアクセス順序重要度は、画面表示情報テーブルのアクセス順序に基づき、アクセス順序が１の画面部品の場合は、重要度に１００が割り当てられる。また、アクセス順序が２〜５の画面部品の場合は重要度に５０、アクセス順序が６〜２０の画面部品の場合は重要度に３０、アクセス順序が２1以上の場合は重要度に０が割り当てられる。
【００３２】
図１０は各種重要度テーブルを示す模式図である。図１０の（ａ）は、アクセス順序重要度テーブルを示す。図１０の（ａ）を参照して、アクセス順序重要度テーブルついて詳細を説明する。アクセス順序重要テーブルは、タッチパネル４ａ上の表示面における画面部品の表示領域を示す部分領域ごとに、アクセス順序重要度が登録されている。アクセス順序重要度テーブルの部分領域には、上記ステップＳ３２においてアクセス順序重要度が算出された画面部品の表示領域を示す開始Ｘ座標、開始Ｙ座標、幅及び高さが登録されている。
【００３３】
重要度算出処理部６ｄは、ステップＳ３１において『ＹＥＳ』と判定した場合には、すなわち全ての画面部品のアクセス順序重要度の算出が完了した場合に、次にアクセス頻度の重要度（アクセス頻度重要度）の算出を行う為、画面部品情報テーブルに基づいて画面Ｖの全ての画面部品のアクセス頻度重要度の算出が完了したか否か判定し（ステップＳ３４）、ステップＳ３４において『ＮＯ』と判定した場合には、すなわち全ての画面部品のアクセス頻度重要度の算出が完了していない場合には、画面部品情報テーブルのアクセス頻度に基づいてアクセス頻度重要度を算出し（ステップＳ３５）、アクセス頻度重要度をアクセス頻度重要度テーブルに登録し（ステップＳ３６）、ステップＳ３４に移行する。なお、画面部品情報テーブルのアクセス頻度は、所定の時間内のアクセス回数に基づいて０〜１００の数値が割り当てられ、数値が大きいほど画面部品のアクセスの頻度が高いことを示す。ステップＳ３５におけるアクセス頻度重要度は、図２に示す画面表示情報テーブルのアクセス頻度の数値がそのまま割り当てられる。
【００３４】
図１０の（ｂ）は、アクセス頻度重要度テーブルを示す。図１０の（ｂ）を参照して、アクセス頻度重要度テーブルついて詳細を説明する。アクセス頻度重要度テーブルは、アクセス順序重要度テーブルと同様に、画面部品の表示領域を示す部分領域ごとに、アクセス頻度重要度が登録されている。アクセス頻度重要度テーブルの部分領域には、上記ステップＳ３５においてアクセス頻度重要度が算出された画面部品の表示領域を示す開始Ｘ座標、開始Ｙ座標、幅及び高さが登録されている。
【００３５】
重要度算出処理部６ｄが、ステップＳ５における重要度算出処理を完了すると、阻害量算出処理部６ｅが阻害量算出処理を実行する（ステップＳ６）。
以下から、図７のフローチャートを参照して、ステップＳ６の阻害量算出処理の詳細を説明する。
まず、阻害量算出処理部６ｅは、表示候補位置テーブルに登録されているヘルプ画面Ｐの表示候補領域のいずれかを選択し（ステップＳ４１）、この表示候補領域がアクセス順序重要度テーブルに登録されている画面Ｖの全ての部分領域に対する阻害量（アクセス順序個別阻害量Ｉ１）の算出が完了したか否か判定し（ステップＳ４２）、ステップＳ４２において『ＮＯ』と判定した場合には、すなわちアクセス順序個別阻害量Ｉ１の算出が完了していない場合には、アクセス順序重要度テーブルに登録されているいずれかの部分領域を選択し、この部分領域が選択した表示候補領域と重なる領域の面積（重畳領域Ｏ１）を算出し（ステップＳ４３）、選択した部分領域における重量領域Ｏ１の割合を算出し、その割合に対して部分領域のアクセス順序重要度を乗算し、アクセス順序個別阻害量Ｉ1を算出する（ステップＳ４４）。
【００３６】
すなわち、アクセス順序個別阻害量Ｉ1は下記の式により求められる。
（重畳領域Ｏ１÷部分領域の面積）×部分領域のアクセス順序重要度
阻害量算出処理部６ｅは、上述した式によって算出したアクセス順序個別阻害量Ｉ1をアクセス順序阻害量Ｊ１に加算し（ステップＳ４５）、その後にステップＳ４２に移行する。上記ステップＳ４５においてアクセス順序阻害量Ｊ１にアクセス順序個別阻害量Ｉ1を加算することによって、画面Ｖの全ての画面部品に対するアクセス順序個別阻害量Ｉ1の合計値、すなわち画面Ｖ全体におけるアクセス順序に基づく阻害量を算出する。
【００３７】
阻害量算出処理部６ｅは、ステップＳ４２において『ＹＥＳ』と判定した場合には、すなわちアクセス順序重要度テーブルに登録されている画面Ｖの全ての部分領域に対するアクセス個別阻害量Ｉ１の算出が完了したと判定した場合には、次にアクセス頻度に対する阻害量を算出する為、アクセス頻度重要度テーブルに登録されている画面Ｖの全ての部分領域に対する阻害量（アクセス頻度個別阻害量Ｉ２）の算出が完了したか否か判定し（ステップＳ４６）、テップＳ４６において『ＮＯ』と判定した場合には、すなわちアクセス頻度個別阻害量Ｉ２の算出が完了していない場合には、アクセス頻度重要度テーブルに登録されているいずれかの部分領域を選択し、この部分領域が選択した表示候補領域と重なる領域の面積（重畳領域Ｏ２）を算出し（ステップＳ４７）、選択した部分領域における重量領域Ｏ２の割合を算出し、その割合に対して部分領域のアクセス頻度重要度を乗算し、アクセス頻度個別阻害量Ｉ1を算出する（ステップＳ４８）。
【００３８】
すなわち、アクセス頻度個別阻害量Ｉ２は下記の式により求めれれる。
（重畳領域Ｏ２÷部分領域の面積）×部分領域のアクセス頻度重要度
阻害量算出処理部６ｅは、上述した式によって算出したアクセス頻度個別阻害量Ｉ２をアクセス頻度阻害量Ｊ２に加算し（ステップＳ４９）、その後にステップＳ４６に移行する。上記ステップＳ４９においてアクセス頻度阻害量Ｊ２にアクセス頻度個別阻害量Ｉ２を加算することによって、画面Ｖの全ての画面部品に対するアクセス順序個別阻害量Ｉ1の合計値、すなわち画面Ｖ全体におけるアクセス頻度に基づく阻害量を算出する。
【００３９】
阻害量算出処理部６ｅは、上記ステップＳ４６において『ＹＥＳ』と判定した場合には、すなわちアクセス頻度個別阻害量Ｉ２の算出が完了している場合には、アクセス順序阻害量Ｊ１及びアクセス頻度阻害量Ｊ２それぞれに重要性比率を乗算し、その乗算によって求めれた値を加算することにより阻害量の合計値（全体阻害量）を算出する（ステップＳ５０）。各阻害量に乗算される重要性比率は、全体阻害量における各阻害量の重要性によって決まり、重要性の高さに比例して数値は大きくなる。
例えば、全体阻害量は下記の式によって求められる。
（アクセス順序阻害量Ｊ1×２／３）＋（アクセス頻度阻害量Ｊ２×１／３）
【００４０】
阻害量算出処理部６ｅは、ステップＳ６において阻害量算出処理を完了すると、表示制御処理部６ａは、全体阻害量が所定のしきい値以下であるか判定し（ステップＳ７）、ステップＳ７において『ＮＯ』と判定した場合には、すなわち全体阻害量が所定のしきい値以下でない場合には、阻害量算出処理部６ｅはステップＳ６において再び阻害量算出処理を実行し、上記ステップＳ４１において次の表示候補領域を選択して、全体阻害量を算出する。表示制御処理部６ａは、ステップ７において『ＹＥＳ』と判定した場合には、すなわち阻害量量が所定のしきい値以下である場合には、タッチパネル４ａに全体阻害量の算出に用いた表示候補領域へヘルプ画面Ｐを表示させる（ステップＳ８）。
【００４１】
以上のように、本実施形態に係る複合機Ａによれば、ユーザによって画面表示指示のあるヘルプ画面Ｐの表示候補領域を洗い出し、ヘルプ画面Ｐによって表示が阻害される画面Ｖの画面部品のアクセス順序及びアクセス頻度によってアクセス順序重要度及びアクセス頻度重要度を算出し、この表示候補領域、アクセス順序重要度及びアクセス頻度重要度に基づいて全体阻害量を算出し、この全体阻害量が所定のしきい値以下の場合に全体阻害量の算出に用いられた表示候補領域にヘルプ画面Ｐを表示する為、ヘルプ画面Ｐを表示した後の次に操作をする可能性の高い画面部品、すなわちアクセス順序重要度またはアクセス頻度重要度の高い画面部品の表示を阻害しない形でヘルプ画面Ｐを表示することが可能となる。
【００４２】
以上、本発明の一実施形態について説明したが、本発明は上記実施形態に限定されることなく、例えば以下のような変形が考えられる。
（１）上記実施形態では、ヘルプ画面Ｐの表示サイズを固定した値として表示候補領域を算出し、その表示候補領域に基づいて全体阻害量を算出したが、本発明はこれに限定されない。
例えば、ユーザによる画面表示指示のあったヘルプ画面の幅及び高さが変動可能として、表示所定領域算出処理において表示候補位置の算出と共にヘルプ画面の幅及び高さをそれぞれの範囲に基づいて変動させた表示候補サイズを算出し、この表示候補位置と表示候補サイズの組み合わせに応じた表示候補領域を表示候補領域テーブルに登録するようにしてもよい。表示開始位置だけでなく表示サイズも制御することによって、より緻密に画面部品を阻害しない形でヘルプ画面の表示することが出来る。
【図面の簡単な説明】
【００４３】
【図１】本発明の一実施形態に係る複合機Ａの機能ブロック図である。
【図２】本発明の一実施形態に係る複合機Ａの画面部品情報テーブルを示す模式図である。
【図３】本発明の一実施形態に係る複合機Ａの表示制御処理を示すフローチャートである。
【図４】本発明の一実施形態に係る複合機Ａの表示開始位置範囲算出処理を示すフローチャートである。
【図５】本発明の一実施形態に係る複合機Ａの表示候補領域算出処理を示すフローチャートである。
【図６】本発明の一実施形態に係る複合機Ａの重要度算出処理を示すフローチャートである。
【図７】本発明の一実施形態に係る複合機Ａの阻害量算出処理を示すフローチャートである。
【図８】本発明の一実施形態に係る複合機Ａのタッチパネル４ａにおけるヘルプ画面Ｐの表示開始位置範囲Ｒ１を示す模式図である。
【図９】本発明の一実施形態に係る複合機Ａの表示候補領域テーブルを示す模式図である。
【図１０】本発明の一実施形態に係る複合機Ａの重要度テーブルを示す模式図である。
【符号の説明】
【００４４】
Ａ…複合機、１…画像読取部、２…用紙搬送部、３…画像形成部、４…操作表示部、４ａ…タッチパネル、５…記憶部、６…制御部、６ａ…表示制御処理部、６ｂ…表示開始位置範囲算出処理部、６ｃ…表示候補領域算出処理部、６ｄ…重要度算出処理部、６ｅ…阻害量算出処理部
【図１】
2009237708.tif 000003
【図２】
2009237708.tif 000004
【図３】
2009237708.tif 000005
【図４】
2009237708.tif 000006
【図５】
2009237708.tif 000007
【図６】
2009237708.tif 000008
【図７】
2009237708.tif 000009
【図８】
2009237708.tif 000010
【図９】
2009237708.tif 000011
【図１０】
2009237708.tif 000012